(57)【要約】【課題】立位で患者を回転させて撮影する場合に、患者の位置決めと、患者とセンサ部分との干渉が問題になる。患者の位置決めとは、Ｘ線焦点と検出器によって形成される撮影領域内に患者を適切に配置することにある。【解決手段】被検体に放射線を曝射する放射線発生源と、前記放射線中で人体を回転させる回転手段と、前記放射線を検出し且つ被写体の体軸方向に複数列有する２次元検出器とを有する放射線ＣＴ撮影装置において、前記回転手段の回転開始が、概略側面撮影状態から開始されることを特徴とする。【選択図】        図１
2005000368.tif 000002
【特許請求の範囲】
【請求項１】
被検体に放射線を曝射する放射線発生源と、前記放射線中で人体を回転させる回転手段と、前記放射線を検出し且つ被写体の体軸方向に複数列有する２次元検出器とを有する放射線ＣＴ撮影装置において、前記回転手段の回転開始が、概略側面撮影状態から開始されることを特徴とする。
【請求項２】
被検体に放射線を曝射する放射線発生源と、前記放射線中で人体を回転させる回転手段と、前記放射線を検出し且つ被写体の体軸方向に複数列有する２次元検出器とを有する放射線ＣＴ撮影装置において、前記回転手段に接続され前記被写体を固定するための背当てあるいは胸当てを有し、前記被検体の概略側面状態において前記背当てあるいは胸当てを調整可能とすることを特徴とする。
【発明の詳細な説明】
【０００１】
【発明の属する技術分野】
本発明は、例えばＸ線等の放射線を利用して画像撮影を行うＸ線ＣＴ装置等の放射線一般を使用して被検体内の放射線特性分布を画像化する放射線撮像装置に関する。特には、コーンビームＣＴ装置において、検出器系に対して人体を回転させる際の回転開始位置に関する。
【０００２】
【従来の技術】
従来、被検体に対してＸ線を曝射し、該被検体を透過或いは被検体で散乱したＸ線をＸ線検出器で検出し、このＸ線検出出力（Ｘ線のフォトン数）に基づいて被検体の透視画像、断層像或いは三次元画像を撮像するＸ線ＣＴ装置が知られている。
【０００３】
かかるＸ線ＣＴ装置として、コーンビームＣＴ装置が開発されている。通常のＸ線ＣＴ装置では、Ｘ線ビームはＺ方向に薄く切り出されており、ファンビームと呼ばれるが、コーンビームＣＴ（ＣＢＣＴ）では、Ｚ方向にも広がったＸ線ビームを用い、このＸ線ビームはコーンビームと呼ばれる。
【０００４】
そして、このＣＢＣＴとしては、現在のところ、従来型ＣＴ（すなわちｒｏｗが１列だけのもの）において、いわゆる第３世代型あるいはＲ／Ｒ型と呼ばれる方式に相当する形式が検討されている。この第３世代型ＣＴとは、Ｘ線源と検出器のペアが被検体の周囲を回転しながらスキャン（投影データの収集）を行うものである。
【０００５】
図５は、ＣＢＣＴ装置の一例を示すものである。同図に示すＣＢＣＴ装置も、第３世代型ＣＴ装置に属するものであり、Ｚ軸を回転軸として、Ｘ線源とともにＸ線検出器も被検体の周囲を回動し、一回転で関心領域のスキャンを終えるものである。
【０００６】
通常のＸ線ＣＴ装置では、チャンネル（ＣＨ）方向にサンプリングするために検出素子がＣＨ方向に１ライン並んでおり、個々の素子はチャンネル番号で識別される。これに対し、かかるＣＢＣＴ装置では、同図に示すように、検出素子がさらにＺ方向（ＲＯＷ方向）にも配列されている。すなわち、コーンビームＣＴ装置における検出器は、検出素子が直交格子状に２次元配置されて構成される。
【０００７】
このようなＣＢＣＴ装置によれば、検出素子をｚ方向（ＲＯＷ方向）及びＣＨ方向の２方向に格子状に配置して検出器を構成するとともに、放射線をＺ方向にも厚みをもたせて円錐（コーン）状に曝射することによって、複数列分の投影データを一括して得ることができる。
【０００８】
ＦＰＤ（Ｆｌａｔ  Ｐａｎｅｌ  Ｄｅｔｅｃｔｏｒ）を使用したＣＢＣＴ（Ｃｏｒｎ  Ｂｅａｍ  ＣＴ）が提案されている。ＣＴは、一般には人体を仰臥位（仰向けに寝かせる）状態で撮影される。しかし、検診用のＣＢＣＴにおいては、肺野が大きくなる、患者のスループットが上がる等の理由で、立位で、人体を回転させて撮影することにメリットがある場合がある。
【０００９】
この様な従来技術として例えば、特開２０００−７０２６０、特開２０００−２１０２８０、特開平５−９５９４３が上げられる。
【００１０】
【発明が解決しようとする課題】
立位で患者を回転させて撮影する場合に、患者の位置決めと、患者とセンサ部分との干渉が問題になる。患者の位置決めとは、Ｘ線焦点と検出器によって形成される撮影領域内に患者を適切に配置することにある。干渉の問題に関しては、ＦＰＤの面積を十分に大きくして患者とセンサの距離を確保すればよいが、当該ＦＰＤを胸部の単純撮影に使用する場合も考えられ、その場合はＦＰＤが大きくなれば胸部正面を撮影する際の患者固定が難しくなり、また、センサを大きくすることはコストアップになる。
【００１１】
【課題を解決するための手段】
そこで、本発明では、患者を側面撮影状態において、位置決めを行い、回転開始位置を概略側面位置から始める技術を開示している。
【００１２】
【発明の実施の形態】
本発明の好ましい実施形態を、添付図面（図１乃至４）を参照しながら詳細に説明する。
【００１３】
図１は、本発明に係わるＣＢＣＴの概略図を示す。Ｘ線焦点１から発生したＸ線は、コーン形状をなして２次元検出器２に到達するように設定されている。２次元検出器２は、図示しないがＸ線を可視光に変換する蛍光体と分解能５００ミクロン、画素数８６０×８６０画素から構成される半導体検出器とで構成される。上記より検出器のサイズは、４３×４３ｃｍである。
【００１４】
Ｘ線焦点１から２次元検出器２までの距離（ＦＤＤ）を２００ｃｍとすると、回転軸に直交する方向のＸ線広がり（ファン角）は１２．３度、回転軸（患者の体軸）方向のＸ線広がり（コーン角）も１２．３度となる。本発明においては、Ｘ線焦点１、２次元検出器２ともに図示しない指示機構により固定されており、Ｘ線焦点１、２次元検出器２によって形成されるコーンＸ線中を人体が体軸を中心に回転する。
【００１５】
人体を回転させる回転テーブル５には、スキャン中に人体を固定するため胸当て３及び握り部が連結されており、これらが一体となって回転する。フルスキャンの場合の回転角度はは（３６０＋α）度、ハーフスキャンの場合は（１８０＋ファン角１２．３＋α）度である。ここでαは、回転の加速、減速に要する角度である。
【００１６】
図２に撮影の幾何学系を示す。成人男子の肩幅は、統計によると９５％が５０ｃｍ以下であることがわかっている。つまり、大多数の成人男子を撮影するには、テーブルの回転中心から２次元検出器２の表面までを２５ｃｍ隔てる必要がある。上記の条件のあてはめると、Ｘ線焦点１から撮影領域中心までは、１７５ｃｍ、再構成領域４は３６ｃｍΦとなる。
【００１７】
成人男子の乳頭の高さでの腋幅は、統計的によると９５％が３３ｃｍ以下である。つまり、大多数の成人男子の肺野は撮影領域３６ｃｍΦ内に収まる。しかし、肩幅まで含めると５０ｃｍ以下であるので、撮影領域３６ｃｍΦからはみ出すことになる。原理的に、ＣＴ撮影においては、撮影対象は撮影領域に完全に収まることが要求されるので、上記のような場合には再構成画像に偽像が発生することが予想される。しかし、発生した偽像が病気診断に対して障害となるもであるか否かは、一概には決めることが出来ない。医者が偽像を考慮に入れて診断をすることができる場合もあるからである。
【００１８】
図２の実施例において、患者の肩幅が５０ｃｍ以下であれば、回転テーブル５の回転によって患者が２次元検出器２に接触することはない。しかし、接触の可能性を正確に知るために、撮影技師が患者の肩幅を撮影前に計測することは煩わしいと考えられる。撮影のスループットが落ちるからである。
【００１９】
そこで、人体が概略左右対称であることを利用し、図３に示すように、撮影前において患者を側面状態に整位すれば、患者と２次元検出器２との接触を、回転テーブル５を回転させずに知ることが可能になる。図３は、開始位置からフルスキャンによってデータが収集される様子を表している。患者の頭方向から見て、時計方向に助走が開始され回転が所定の回転スピードに到達するとＸ線が曝射されデータ収集が開始される。３６０度分のデータ収集が完了すると、Ｘ線曝射は停止されて、回転テーブル５は減速して停止する。
【００２０】
図４にハーフスキャンの場合の患者回転の様子を示す。図３と同様に患者は側面で整位される。回転テーブル５の回転速度が安定するまでの助走時間経過後にＸ線の曝射が開始されてデータ収集が行われる。ハーフスキャンにおいては、（１８０度＋ファン角１２．３度）のデータ収集が完了して、Ｘ線に曝射が停止されて、回転テーブル５は減速し停止する。
【００２１】
【発明の効果】
以上説明したように本発明によれば、回転開始位置を側面状態ととすることにより患者とセンサの干渉を模擬回転など必要とせずに事前に知ることが可能になり、これによりセンササイズを好適に小型化できる。
【００２２】
側面で整位することのメリットは、上記のほかに患者の断面が概略中央に設置することが容易である点にもある。患者によって体の厚みがことなるので、図１に示すように胸当て３に固定して撮影する場合は、胸当て３を前後することによって患者を前後に移動して、患者の断面が撮影領域に好適に入るように設置することが可能にある。正面位置で整位する場合には、体の厚みによって被写体位置を調整することが困難であったからである。
【図面の簡単な説明】
【図１】実施例１の概略図
【図２】実施例１のＸ線幾何学系
【図３】フルスキャンにおけるテーブル回転
【図４】ハーフスキャンにおけるテーブル回転
【図５】従来のＣＢＣＴの概念図
【符号の説明】
１  Ｘ線焦点
２  ２次元検出器
３  胸当て
４  再構成領域
５  回転テーブル
【図１】
2005000368.tif 000003
【図２】
2005000368.tif 000004
【図３】
2005000368.tif 000005
【図４】
2005000368.tif 000006
【図５】
2005000368.tif 000007